(57)【要約】      （修正有）【課題】デンタルフロスのホルダーに関し、使い方の習熟にかなり時間がかかり、デンタルフロスの使用を諦めてしまう場合が多い点を解消し、初心者でも容易にデンタルフロスを活用できるデンタルフロス固定ホルダーを提供する。【解決手段】ネジ山とネジ２の首下でデンタルフロス５を固定するデンタルフロスホルダー１を２個で一対として使用し口腔内を清掃するようにした。【選択図】図１
2007144021.tif 000002
【特許請求の範囲】
【請求項１】
ネジ山とネジの首下でデンタルフロスを固定するホルダー
【請求項２】
請求項１の技術を使い片方のホルダー内に、未使用フロスを収納し繰り出し口に固定用のネジを取り付けたホルダー
【請求項３】
ネジの首下でデンタルフロスを固定するホルダーで、首下に端面に平行にフロスの通る穴が開いた形。この穴はフロスを容易に通し、清掃も容易な大きな直径を持つ。
【発明の詳細な説明】
【技術分野】
【０００１】
この発明は、デンタルフロスの使用を容易にするホルダーに関する。
【背景技術】
【０００２】
一般的なフロスの使い方をメーカーホームページより抜粋
1.フロスを約40cm程（指先からひじまで）の長さに切ります。
2.フロスの片側を左手中指に2〜3回巻きつけます。
3.さらに両手の間隔が10〜15cmになるように右手中指に残りの部分をはずれないように巻きつけます。
4.両手の親指と人差し指でつまんでピンとはります。
このとき指の間は、1〜2cmはなしてください。短めにもって、ピンとはることが大切です。又は、フロスとホルダーが一体化したフロスホルダーを使用します。
【特許文献１】特許公開２０００−１３９９６１
【発明の開示】
【発明が解決しようとする課題】
【０００３】
しかしながら、上記の一般的なフロスの使い方はかなり習熟に時間がかかる。歯科医がフロスの使用を推奨しても、患者は数回使用を試みてはみるものも、多くの場合フロスの使用は諦めてしまう。  このためフロスの使用が口腔衛生上有効なのに、この使用の困難さが普及の障害となっており、歯科医療費の増大を生んでいる一因となっている。
特許公開２０００−１３９９６１にあるようなホルダーでは清掃に使えるフロスが短いし、奥歯の清掃が難しいことが多い。使用後のホルダーは大体の場合、一回の使い捨てでゴミとなる。フロスの使用も、フロスの交換も毎日行うので、何より作業が簡単な必要がある。そこで、この発明は、初心者でも容易にデンタルフロスを活用出来るホルダーを提供することを課題とする。
【課題を解決するための手段】
【０００４】
以上の課題を解決するために、第一発明は、ネジ山とネジの首下でデンタルフロスを固定することを特徴とするホルダーである。通常は２個の本体を一対とし、使用する。
大きさは直径１５ｍｍ、長さ４５ｍｍ位。
また、第二発明は、デンタルフロスのケースに第一発明のネジ山とナットを取り付けたことを特徴とするホルダーである。カセット方式でフロスを補充する形態も可能。大きさはたて５５ｍｍ、横２５mm、厚さ１２ｍｍ以下位。
第三発明は首下に端面に平行にフロスの通る穴が開いた形。この穴はフロスを容易に通し、清掃も容易な大きさである。
【発明の効果】
【０００５】
第一発明、第二発明、第三発明とも、ネジ山とネジの首下でデンタルフロスを固定するので口腔内の清掃が容易に行える。
【発明を実施するための最良の形態】
【０００６】
図１にこの発明の一実施形態を示す。
ホルダーの本体１は材質が錆びないステンレス、又はチタンであり、この本体１の上面にはネジ山が有り、ナット２が付けられている。どちらの材質も金属が望ましい。
金属の使用量を少なくしネジ及びネジ首下端面のみ金属製という構造も作製可能。
底部にも上部と同じ径のネジ穴４が切ってある。このネジ穴４には埋め栓３が取り付けてあるが、使用者の好みでここに延長ストック等を取り付けることも出来る。
他のデンタルフロスホルダーと異なり、原則２個の本体を一対として、使用する。
【実施例】
【０００７】
代表的使用法
1.  フロスを長さ２０ｃｍ程に切ります。
2. フロスの片側をナットに通した後、フロスを通したままナットをネジに固定します。
3. もう１つのホルダーにも同様にフロスの片側を固定します。
4. フロスをセットした後、本製品を軽く手の平で握り、人差し指でつまんでピンと張りながら、掃除をしたい歯間に導きます。
図２でフロス固定部の詳細図を示す。  １は本体、２はナット、３は請求項３のフロスが
通る穴、４はフロス。フロスの通し方は代表的なものを図示した、使用者の好みで自由にフロスは固定出来る。
図３は請求項２のデンタルフロスのケースに第一発明のネジ山とナットを取り付けたことを特徴とするホルダーを示す。  １はデンタルフロスケース、２はケースのふた、３はネジ部とナット、４は補充するフロスを示す。
図４は請求項２の詳細図を示す。  １はナット、２はネジ山、３はフロス、４は使用後のフロスの末端を切断するためのカッター部分を示す。
図５は従来技術の代表的なフロスホルダーを示す。１がプラスチック等が材質のホルダー、２が両端を固定された１３ｍｍ位の長さのフロス
【０００８】
「実施形態の効果」
フロスを使用するには、フロスをしっかり張る必要がある。通常は手指による張力によっているが、本発明はその絶妙な重量により張力を得ているため、指力が要らない。手の力をほとんど歯垢の除去に向けられる。
この実施形態によれば、極めて簡単な構造のため、壊れにくい。
フロスを指先で操ったほうが、器用に歯垢が除去出来る。
毎日歯垢の清掃は必要だが、効果が高いのに、清掃にかける時間は短くなる。忙しい人に最適。
本発明とフロスの接触量を自在に変えることにより、使用者にあったフロスの固定力を  生み、歯茎へ過大な力がかかることを防ぐことが出来る。
本製品では、清掃が困難な親知らず等の奥歯も容易に清掃出来る。
他の多くのデンタルフロスホルダーと異なり、使い捨てのプラスチック等が出ない。
製品は通常は口腔内に入らないので清潔。
小形軽量のため、携帯が容易
【０００９】
「他の実施形態」
図面では外形は六角形だが、円柱やその他の形態も考えられる。
片方が故障又は紛失しても１個でも歯の清掃は可能。
柔らかい緩衝材での外装で金属部分を覆う事も検討
男性用、女性子供用（小さいサイズ）の別も必要
キャンピングナイフへの取り付けも考えられます。
【図面の簡単な説明】
【００１０】
【図１】この発明の一実施形態を示す斜視図である。
【図２】図１のフロス固定部の詳細図を示す。
【図３】請求項２のデンタルフロスのケースに第一発明のネジ山とナットを取り付けたことを特徴とするホルダーを示す。
【図４】請求項２の詳細図を示す
【図５】従来技術の代表的なフロスホルダーを示す。
【符号の説明】
【００１１】
「図１」における符号
１  デンタルフロスホルダー            ２  ナット
３  ネジ穴埋め栓                      ４  ネジ穴
５  フロス
「図２」における符号
１  デンタルフロスホルダー            ２  ナット
３  フロスが通る穴                    ４  フロス
「図３」における符号
１  デンタルフロスケース              ２  ケースのふた
３  ネジ部とナット                    ４  補充するフロス
「図４」における符号
１  ナット                            ２  ネジ山
３  フロス                            ４  使用後のフロスの末端を切断するためのカッター部分  
「図５」における符号
１  デンタルフロスホルダー            ２  フロス
【図１】
2007144021.tif 000003
【図２】
2007144021.tif 000004
【図３】
2007144021.tif 000005
【図４】
2007144021.tif 000006
【図５】
2007144021.tif 000007